(57)【要約】      （修正有）【課題】回転できるが外れることが無く、安定的に結合効果が得られ、アンテナが任意に方向や方位を変更でき、良い受信が実現されるアンテナ座構造を提供する。【解決手段】内部に雌座連結端５と雄座連接端４とが設置され、雌座連結端にスリーブ８が設置され、スリーブの内側に、更に、係止部９が設置され、対応する雄座連接端に錐形接合スリーブ１１が設置され、錐形接合スリーブは上端に突縁７が設置され、その内部に、更に、端子１０が設置され、端子がアンテナ端３を挿設する。【選択図】図５
0003124491.tif 000002
【実用新案登録請求の範囲】
【請求項１】
内部に、雌座連結端と雄座連接端とが設置され、当該雌座連結端に、スリーブが設置され、当該スリーブの内側に、更に、係止部が設置され、対応する雄座連接端に、錐形接合スリーブが設置され、当該錐形接合スリーブの上端に、突縁が設置され、その内部に、更に、端子が設置され、当該端子が、当該アンテナ端を挿設することに供され、当該錐形接合スリーブが、錐形であるため、雌座スリーブに挿設される時、回転できるが、外れることが無く、安定的に結合効果が得られる、
ことを特徴とするアンテナ座構造。
【請求項２】
当該雌座連結端に、錐形スリーブが設置され、当該錐形スリーブの内側に、更に、係止部が設置され、対応する雄座連接端に、錐形接合スリーブが設置され、当該錐形接合スリーブの上端に、突縁が設置され、その内部に、更に、端子が設置され、当該端子が、当該アンテナ端を挿設することに供され、当該錐形接合スリーブが、錐形であるため、雌座錐形スリーブに創設される、回転できるが、外れることが無く、安定的に結合効果が得られ、当該アンテナが、任意に方向や方位を変更でき、良い受信が実現されることを特徴とする請求項１に記載のアンテナ座構造。
【考案の詳細な説明】
【技術分野】
【０００１】
本考案は、アンテナ座構造に関し、特に、雄座連接端の錐形接合スリーブが、雌座連接端のスリーブや錐形スリーブに挿設される時、回転できるが、外れることが無く、安定的に結合効果が得られるものに関する。
【背景技術】
【０００２】
図１は、従来の直接に挿設するアンテナ座であり、当該ルーター１の後方に、アンテナ２が設置され、当該アンテナ２の雌座連結端５が、ルーター１の内部に設置され、図２を参照しながら、当該雌座連結端５に、スリーブ８が設置され、当該スリーブ８の内側に、更に、係止部９が設置され、対応する雄座連接端４に、接合スリーブ６が設置され、当該接合スリーブ６の上端に、突縁７が設置され、その内部に、更に、端子１０が設置され、当該端子１０が、当該アンテナ端３を挿設することに供され、このようなアンテナ座は、角度を調整できるが、長期的に多数の調整をすると、当該接合スリーブ６とスリーブ８とが弛んで、当該アンテナが、必要である所定の角度に固定されず、使用中、信号を受信することが悪いため断線になる恐れがあり、図３を参照しながら、当該雌座連結端５に、スリーブ８が設置され、当該スリーブ８の内側に、更に、係止槽１４が設置され、対応する雄座連接端４に、接合スリーブ６が設置され、当該接合スリーブ６の側辺に、係止フロック１３が設置され、その内部に、更に、端子１０が設置され、当該端子１０が、当該アンテナ端３を挿設することに供され、このようなアンテナ座は、直接に固定されて角度を調整できなく、角度を調整する場合、雄座連接端４と雌座連結端５とを分離して、方向を調整してから再び結合することが必要であるため、実用的なものではない。
【０００３】
以上の従来のものは、次の問題点がある。
【０００４】
１、従来のアンテナ座は、角度を調整できるが、長期的に多数の調整をすると、当該雄座接合スリーブと雌座スリーブとが弛んで、当該アンテナが、必要である所定の角度に固定されず、使用中、信号を受信することが悪いため断線になる恐れがある。
【０００５】
２、従来のアンテナ座は、直接に固定されて角度を調整できなく、角度を調整する場合、雄座連接端と雌座連結端とを分離して、方向を調整してから再び結合することが必要であるため、不便なものである。
【考案の開示】
【考案が解決しようとする課題】
【０００６】
本考案は、回転できるが、外れることが無く、安定的に結合効果が得られ、当該アンテナが、任意に方向や方位を変更でき、良い受信が実現されるアンテナ座構造を提供する。
【課題を解決するための手段】
【０００７】
本考案は、内部に、雌座連結端と雄座連接端とが設置され、当該雌座連結端に、スリーブが設置され、対応する雄座連接端に、錐形接合スリーブが設置され、安定的に結合できるアンテナ座構造である。
【考案を実施するための最良の形態】
【０００８】
図４、５を参照しながら、当該アンテナ座の内部に、雌座連結端５と雄座連接端４が設置され、当該雌座連結端５にスリーブ８が設置され、当該スリーブ８の内側に、更に、係止部９が設置され、対応する雄座連接端４に、錐形接合スリーブ１１が設置され、当該錐形接合スリーブ１１の上端に、突縁７が設置され、その内部に、更に、端子１０が設置され、当該端子１０が、当該アンテナ端３を挿設することに供され、当該錐形接合スリーブ１１は、錐形であるため、スリーブ８に挿設される時、回転できるが、外れることが無く、安定的に結合効果が得られ、図６のようであり、当該雌座連結端５に、錐形スリーブ１２が設置され、当該錐形スリーブ１２の内側に、更に、係止部９が設置され、対応する雄座連接端４にも、錐形接合スリーブ１１が設置され、当該錐形接合スリーブ１１は、上端に、突縁７が設置され、内部に、更に、端子１０が設置され、当該端子１０が、当該アンテナ端３を挿設することに供され、当該錐形接合スリーブ１１は、錐形であるため、雌座錐形スリーブ１２に挿設される時、回転できるが、外れることが無く、安定的に結合効果が得られ、図７のようであり、当該アンテナ端３は、ルーター１の上において、任意に方向や方位を変換できることにより、良い受信が実現される。
【０００９】
本考案は、次の利点が得られる。
【００１０】
１、本考案によれば、任意に角度を調整でき、また、長期的に多数の調整をしても、弛み現象がまく、簡単で、必要である特定の角度に固定され、信号の受信が悪いことによる断線を防止できる。
【００１１】
２.本考案によれば、アンテナ座を調整する時、雄座連接端と雌座連結端とを分離して方向を調整してから再び結合することが必要しない。
【図面の簡単な説明】
【００１２】
【図１】従来のアンテナ座の実施概念図
【図２】従来のアンテナ座の断面概念図の１
【図３】従来のアンテナ座の断面概念図の２
【図４】本考案の立体図
【図５】本考案の断面概念図の１
【図６】本考案の断面概念図の２
【図７】本考案の実施概念図
【符号の説明】
【００１３】
１            ルーター
２            アンテナ
３            アンテナ端
４            雄座連接端
５            雌座連結端
６            接合スリーブ
７            突縁
８            スリーブ
９            係止部
１０          端子
１１          錐形接合スリーブ
１２          錐形スリーブ
１３          係止フロック
１４          係止槽
【図１】
0003124491.tif 000003
【図２】
0003124491.tif 000004
【図３】
0003124491.tif 000005
【図４】
0003124491.tif 000006
【図５】
0003124491.tif 000007
【図６】
0003124491.tif 000008
【図７】
0003124491.tif 000009